【事件の表示】
　特許第２６８４３６６号「ロール式トイレットペーパーの製造方法」の特許に対する特許異議の申立てについて、次のとおり決定する。
【結論】
　訂正を認める。
　特許第２６８４３６６号の特許を維持する。
【理由】
〔Ｉ〕手続きの経緯
　本件特許第２６８４３６６号発明は、昭和６２年５月１１日に特許出願され、平成９年８月１５日に特許権の設定の登録がなされた後、武井肇より特許異議の申立てがなされ、次いで取消理由通知がなされ、その指定期間内に平成１０年１２月１５日付けで訂正請求がなされたものである。
〔ＩＩ〕明細書の訂正請求について
１．訂正請求の趣旨及び訂正の内容
　訂正請求の趣旨は、特許第２６８４３６６号の明細書を訂正請求書に添付した訂正明細書のとおり訂正することを求めるものである。
　そして、その訂正の内容は、以下のとおりである。
　訂正事項ａ
　特許請求の範囲の記載
「（１）トイレットペーパーの紙管群から紙管供給装置により供給される当該紙管をトイレットペーパー巻き付け装置へ供給する間において、紙管の外面に液状の芳香剤を塗布し、塗布後２分以内に、前記トイレットペーパー巻き付け装置においてトイレットペーパーをその紙管に巻き始めることを特徴とするロール式トイレットペーパーの製造方法。」を、
「（１）トイレットペーパーの紙管群から紙管供給装置により供給される当該紙管をトイレットペーパー巻き付け装置へ供給する間において、液状の芳香剤を入れた密閉容器内に圧縮空気を供給し、その圧縮空気による圧送力により通路を通してその出口から対象の紙管の外面に前記芳香剤を塗布し、塗布後２分以内に、前記トイレットペーパー巻き付け装置においてトイレットペーパーをその紙管に巻き始めることを特徴とするロール式トイレットペーパーの製造方法。」と訂正する。
　訂正事項ｂ
　明細書１頁１１行（特許公報１欄１０行）の「産業上の利用分」を、「産業上の利用分野」と訂正する。
　訂正事項ｃ
　明細書１頁２０行（特許公報２欄７行）の「ベンジン」を、「ベンゼン」と訂正する。
　訂正事項ｄ
　明細書２頁４行（特許公報３欄１２〜１３行）の「紙管の外面に液状の芳香剤を塗布し、」を、「液状の芳香剤を入れた密閉容器内に圧縮空気を供給し、その圧縮空気による圧送力により通路を通してその出口から対象の紙管の外面に前記芳香剤を塗布し、」と訂正する。
　訂正事項ｅ
　明細書２頁１６行と１７行（特許公報３欄２９行と３０行）との間に、「他方、液状の芳香剤は前述のように、揮発性であるがために、塗布装置として芳香剤の収容容器において液面を大気に開放させておくと、溶剤が揮発し芳香剤濃度が経時的に変化してしまい、製品個々間において目的の一定の蒸散速度が得られない。しかるに、本発明に従って液状の芳香剤の塗布にあたり、液状の芳香剤を入れた密閉容器内に圧縮空気を供給し、その圧縮空気による圧送力により通路を通してその出口から対象の紙管の外面に前記芳香剤を塗布するようにすると、芳香剤を密閉容器内に収容するから、芳香剤の蒸散を防止し経時的に芳香剤濃度を一定に保つことができ、もって製品個々間において目的の一定の蒸散速度が得られる。」を加える。
　訂正事項ｆ
　明細書３頁５〜６行（特許公報４欄５行〜７行）の「第５図及び第６図では、以上の塗布法と異なり、芳香剤８を圧縮空気よりノズル１１を介して紙管１の下面及び上面からスプレー塗布するものである。」を、
「第５図及び第６図に示す本発明例では、以上の塗布法と異なり、液状の芳香剤８を入れた密閉容器内に圧縮空気を供給し、その圧縮空気による圧送力により通路を通してその出口ノズル１１を介して対象の紙管１の外面に下面側及び上面側からスプレー塗布するものである。」と訂正する。
　訂正事項ｇ
　明細書５頁５行（特許公報６欄７行）の「できる。」の次に、「そして、製品個々間において目的の一定の蒸散速度を示すトイレットペーパーを得ることができる。」を加える。
２．訂正の適否
（１）訂正の目的の適否、新規事項の有無、及び拡張・変更の存否について
　▲１▼訂正事項ａについて
　この訂正は、特許請求の範囲の第１項における「紙管の外面に液状の芳香剤を塗布し」を、「液状の芳香剤を入れた密閉容器内に圧縮空気を供給し、その圧縮空気による圧送力により通路を通してその出口から対象の紙管の外面に前記芳香剤を塗布し」とし、紙管の外面への芳香剤の塗布方法を限定するものであるから、この訂正は、特許請求の範囲の減縮を目的とするものである。
　そして、この訂正は、願書に添付した明細書の３頁５〜６行（特許公報４欄５〜６行）の記載「第５図及……スプレー塗布するものである。」並びに第５図及び第６図の記載に基づくものであるから、願書に添付した明細書又は図面に記載した事項の範囲内のものであり、しかも実質上特許請求の範囲を拡張し又は変更するものではない。
　▲２▼訂正事項ｂ及びｃについて
　これらの訂正は、誤記の訂正を目的とするものであって、願書に添付した明細書又は図面に記載した事項の範囲内のものであり、しかも実質上特許請求の範囲を拡張し又は変更するものではない。
　▲３▼訂正事項ｄについて
　この訂正は、特許請求の範囲の訂正に伴い、特許請求の範囲の記載と発明の詳細な説明の記載との整合を図るものであり、明りょうでない記載の釈明を目的とするものである。
　そして、この訂正は、願書に添付した明細書又は図面に記載した事項の範囲内のものであり、しかも実質上特許請求の範囲を拡張し又は変更するものではない。
　▲４▼訂正事項ｅ〜ｇについて
　これらの訂正は、特許請求の範囲の訂正に伴い、発明の詳細な説明の記載を明りょうにするもので、明りょうでない記載の釈明を目的とするものである。
　そして、この訂正は、願書に添付した明細書又は図面に記載した事項の範囲内のものであり、しかも実質上特許請求の範囲を拡張し又は変更するものではない。
（２）独立特許要件について
　▲１▼訂正後の発明
　訂正後の発明は、訂正明細書の特許請求の範囲の第１項に記載された次のとおりのものである。「トイレットペーパーの紙管群から紙管供給装置により供給される当該紙管をトイレットペーパー巻き付け装置へ供給する間において、液状の芳香剤を入れた密閉容器内に圧縮空気を供給し、その圧縮空気による圧送力により通路を通してその出口から対象の紙管の外面に前記芳香剤を塗布し、塗布後２分以内に、前記トイレットペーパー巻き付け装置においてトイレットペーパーをその紙管に巻き始めることを特徴とするロール式トイレットペーパーの製造方法。」
　▲２▼刊行物の記載事項
　当審で通知した取消理由において引用した刊行物１である、「Ｉｎｔｅｒｎａｔｉｏｎａｌ　Ｊｏｕｒｎａｌ　ｏｆ　Ｃｏｓｍｅｔｉｃ　Ｓｃｉｅｎｃｅ　２，２７１−２８１（１９８０），ｐ．２７１−２８１『Ｔｈｅ　ｐｅｒｆｕｍｉｎｇ　ｏｆ　ｐａｐｅｒ−ｔｅｃｈｎｉｃａｌ　ａｎｄ　ｓａｆｅｔｙ　ｐｒｏｂｌｅｍｓ』の欄（異議申立人が提出した甲第１号証）には、その２８０頁１８〜４０行（訳文のｐ．２８０ｌ．１８〜４０の欄参照。）に、トイレットティッシュのトイレットロールコア群からトイレットロールコア供給装置により供給されるトイレットロールコアをトイレットティッシュ巻き取り機へ供給する間において、トイレットロールコアの外面に液状の香料をジェットから放出あるいは供給し、その後直ちにトイレットティッシュ巻き取り機においてトイレットティッシュをそのトイレットロールコアに巻き始めるロール式トイレットティッシュの製造方法、が記載されている。
　▲３▼対比・判断
　訂正後の発明と刊行物１に記載された発明とを対比すると、刊行物１に記載された発明の「トイレットティッシュ」は、訂正後の発明の「トイレットペーパー」に相当し、以下同様に、「トイレットロールコア」は「紙管」に、「トイレットロールコア供給装置」は「紙管供給装置」に、「トイレットティッシュ巻き取り機」は「トイレットペーパー巻き付け装置」に、「香料」は「芳香剤」に、「放出あるいは供給」は「塗布」に、それぞれ相当するから、両者は、
トイレットペーパーの紙管群から紙管供給装置により供給される紙管をトイレットペーパー巻き付け装置へ供給する間において、液状の芳香剤を塗布し、トイレットペーパー巻き付け装置においてトイレットペーパーをその紙管に巻き始めるロール式トイレットペーパーの製造方法、
である点で一致するものの、以下の点で相違する。
　相違点１
　訂正後の発明は、塗布後２分以内に、トイレットペーパーを紙管に巻き始めるのに対し、刊行物１に記載された発明は、塗布後直ちにトイレットペーパーを紙管に巻き始める点。
　相違点２
　芳香剤の塗布方法が、訂正後の発明は、液状の芳香剤を入れた密閉容器内に圧縮空気を供給し、その圧縮空気による圧送力により通路を通してその出口から対象の紙管の外面に前記芳香剤を塗布するのに対し、刊行物１に記載された発明は、紙管の外面に液状の芳香剤をジェットから放出あるいは供給する点。
　上記相違点について検討する。
　相違点１について検討すると、芳香剤は一般的に、揮発性であるから、塗布した後、できるだけ早くペーパーを巻き付けた方が、蒸散が抑制されると考えられる。そして、訂正明細書中の表３の評価をみても、２分後と１０分後の間に明らかな違いはなく、２分後とすることに意義は認められないから、訂正後の発明のように、塗布後２分以内にトイレットペーパーを巻き付けるようにすることは、当業者が設計上適宜なし得たことである。
　相違点２について検討すると、刊行物１に記載された発明は、液状の芳香剤をジェットから放出あるいは供給することにより塗布しているが、「液状の芳香剤を入れた密閉容器内に圧縮空気を供給し、その圧縮空気による圧送力により通路を通してその出口から塗布する」という訂正後の発明の構成を示唆するものとは認められない。
　そして、訂正後の発明は、この構成を備えることにより、訂正明細書に記載された作用、効果を奏するものである。
　したがって、訂正後の発明は、刊行物１に記載された発明に基いて、当業者が容易に発明をすることができたものとすることはできない。
　よって、訂正後の発明は、特許出願の際独立して特許を受けることができるものである。
（３）まとめ
　以上のとおりであるから、訂正事項ａ及びｂの訂正は、特許法等の一部を改正する法律（平成６年法律１１６号）附則６条１項の規定によりなお従前の例によるとされる、特許法１２０条の４第２項ただし書各号に掲げるいずれかの事項を目的とし、同条３項で準用する１２６条２〜４項の規定に適合するので、本件訂正請求を認める。
〔ＩＩＩ〕特許異議の申立てについて
１．本件発明の要旨
　本件発明の要旨は、訂正明細書及び図面の記載からみて、その特許請求の範囲の第１項に記載されたとおりのものと認める。（上記〔ＩＩ〕２．（２）▲１▼参照。）
２．特許異議の申立ての理由の概要
　異議申立人は、甲第１〜第５号証を提出して、以下の理由により、本件発明の特許は取り消されるべきである旨主張している。
（１）理由１
　本件発明は、甲第１及び第２号証に記載された発明に基いて当業者が容易に発明をすることができたものであるから、特許法２９条２項の規定により特許を受けることができないものである。
（２）理由２
　本件発明は、その出願前に公然知られた発明又は公然実施をされた発明であるから、特許法２９条１項の規定により特許を受けることができないものである。（甲第３及び第４号証）
（３）理由３
　本件発明は、産業上利用することができる発明ではなく、特許法２９条柱書に規定する要件を満たしておらず、特許を受けることができないものである。
甲第１号証：前記刊行物１参照。
甲第１号証の訳文
甲第２号証：「新・紙加工便覧」、昭和５５年１１月１５日、株式会社紙業タイムス社発行、２５４〜２５９頁
甲第３号証：「エリエール　綜合カタログ」
甲第４号証：「紙業タイムス」、１９９４年１２月１６日発行、４０〜４１頁
甲第５号証：長谷川香料株式会社が作製した香り付きトイレットペーパー香り強度評価結果
３．特許異議の申立ての理由についての判断
（１）理由１について、
甲第１号証（刊行物１）に記載された事項は、上記〔ＩＩ〕２．（２）▲２▼に記載したとおりである。
　甲第２号証には、トイレットワインダーの加工速度は５００〜６００ｍ／分であることが記載されている。
　本件発明と甲第１号証に記載された発明との一致点、相違点は、上記〔ＩＩ〕２．（２）▲３▼に記載したとおりである。
　相違点１についての検討は、上記〔ＩＩ〕２．（２）▲３▼に記載したとおりである。
　相違点２で挙げた「液状の芳香剤を入れた密閉容器内に圧縮空気を供給し、その圧縮空気による圧送力により通路を通してその出口から塗布する」という本件発明の構成については、甲第２号証には記載されておらず、示唆もされていない。
　そして、本件発明は、この構成を備えることにより訂正明細書に記載された作用、効果を奏するものと認められる。
　したがって、本件発明は、甲第１及び第２号証に記載された発明に基いて、当業者が容易に発明をすることができたものとすることはできない。
（２）理由２について
　甲第３号証のカタログの発行日が明らかではないが、同号証の「エリエールトイレットティシュー」の欄に、「さわやかな香り（香水入り）トイレットにさわやかな香りをお届けできるのは、エリエールだけです。（紙管に香水を塗布しています）」と記載され、また同欄に、「トイレットティシュー香水入り」を表示したエリエールトイレットティシュー包装体が写真で示されている。
　そして甲第４号証の４０頁に「トイレットティシュー香水入り」の表示をしたエリエールトイレットティシューの包装体の上市が１９７９年〜１９８０年（昭和５４〜５５年）であったことが示されている。
　これら甲第３及び第４号証によると、紙管に香水を塗布したトイレットティシューが、エリエールトイレットティシューとして、昭和５４年頃に上市されたことが推測される。
　しかしながら、上記トイレットティシューは、紙管の外面に香水を塗布してあるのか、不明であるばかりでなく、ロール式トイレットペーパーの製造方法に係る本件発明の「トイレットペーパーの紙管群から紙管供給装置により供給される当該紙管をトイレットペーパー巻き付け装置へ供給する間において、液状の芳香剤を入れた密閉容器内に圧縮空気を供給し、その圧縮空気による圧送力により通路を通してその出口から対象の紙管の外面に前記芳香剤を塗布し、塗布後２分以内に、前記トイレットペーパー巻き付け装置においてトイレットペーパーをその紙管に巻き始める」という構成を何ら示唆していない。
　したがって、本件発明は、出願前に公然知られた発明又は公然実施をされた発明とすることはできない。
　なお、異議申立人は、「本件特許権者が本件特許公報４欄〜５欄にかけて表２の説明として『紙管の内側に香料を塗布した比較例においては、その芳香の強さは、ペーパー巻き付けから１週間後でほとんど臭わない程度まで、２週間後では全く臭わない程度まで弱くなった』と記載していることから、甲第３号証のものは当然に何人にも本件特許と同じく紙管の外面に香料を塗布したものであることが伺えるところである。」（異議申立書７頁７〜１３行）と主張しているが、甲第３号証のものが上市されたと推測される昭和５４年よりもかなり後に出願された本件発明が、紙管の内面に芳香剤を塗布することによる問題点を解決しようとするものであることを考えると、甲第３号証のものが、紙管の外面に香料を塗布したものであると、直ちに認めることはできない。
　したがって、異議申立人の主張は採用しない。
（３）理由３について
　異議申立人は、本件特許公報４欄１９行〜６欄３行の（実験例）の記載は、出願当初の明細書中には全く記載されておらず、平成８年１０月２１日付の補正によって加入されたものであり、実験例）の加入は本件発明の作用効果の本質に係わり、本件発明の要件Ｂ（紙管の外面に液状の芳香剤を塗布）及び要件Ｃ（塗布後２分以内に……紙管に巻き始める）の作用効果の内容に大きな変更を与えるものであるから、要旨を変更するものとして当然に却下されるべきものであり、従って本件発明は特許法第２９条柱書きに規定する産業上利用することができる発明をその出願時に完成していたものとはいえないから、本件発明は特許法２９条柱書きの規定を満たしていない旨主張している。
　さらに、（実験例）の記載は、異議申立人側が実施した実験成績書（甲第５号証）を参照してみれば明らかなように、本件発明の作用効果の裏付けとして真実性に乏しく、産業上利用することができる発明とは言えない旨主張している。（異議申立書７頁２２行〜８頁２０行）
　そこで検討すると、出願当初の明細書の特許請求の範囲には、紙管の外面に液状の芳香剤を塗布すること、塗布後２分以内にトイレットペーパーを巻き始めることが記載されており、平成８年１０月２１日付けの手続補正は、特許請求の範囲に記載された発明における上記要件Ｂ及びＣにより奏される作用、効果を裏付けるための実験結果を加えたものであり、明細書の要旨を変更するものとは認められない。そして、上記実験結果が出願時に提出されていなかったからといって、出願時に発明が完成していなかったとすることはできない。
　また、異議申立人側が実施した実験成績書である甲第５号証によると、実験が、本件発明とは異なる条件（トイレットペーパーの中芯のコアーを引き抜き、コアーの外表面に一定量の香料を添加した後、市販のトイレットペーパーに再挿入）のもとでなされており、甲第５号証の実験結果から直ちに、本件発明の作用、効果が真実性に乏しいものということはできない。
　したがって、異議申立人の主張は、採用できない。
４．むすび
　以上のとおりであるから、異議申立人の主張する理由及び提出した証拠方法によっては、本件発明の特許を取り消すことはできない。
　また、他に本件発明の特許を取り消すべき理由を発見しない。
　よって、結論のとおり決定する。
【異議決定日】
平成１１年９月２２日（１９９９．９．２２）
【訂正の要旨】
〔訂正の要旨〕
　特許第２６８４３６６号の明細書を、特許請求の範囲の減縮を目的として下記（ａ）のとおり、誤記の訂正を目的として下記（ｂ）、（ｃ）のとおり、明りょうでない記載の釈明を目的として下記（ｄ）〜（ｇ）のとおり訂正する。
（ａ）特許請求の範囲の記載
「（１）トイレットペーパーの紙管群から紙管供給装置により供給される当該紙管をトイレットペーパー巻き付け装置へ供給する間において、紙管の外面に液状の芳香剤を塗布し、塗布後２分以内に、前記トイレットペーパー巻き付け装置においてトイレットペーパーをその紙管に巻き始めることを特徴とするロール式トイレットペーパーの製造方法。」を、「（１）トイレットペーパーの紙管群から紙管供給装置により供給される当該紙管をトイレットペーパー巻き付け装置へ供給する間において、液状の芳香剤を入れた密閉容器内に圧縮空気を供給し、その圧縮空気による圧送力により通路を通してその出口から対象の紙管の外面に前記芳香剤を塗布し、塗布後２分以内に、前記トイレットペーパー巻き付け装置においてトイレットペーパーをその紙管に巻き始めることを特徴とするロール式トイレットペーパーの製造方法。」と訂正する。
（ｂ）明細書１頁１１行（特許公報１欄１０行）の「産業上の利用分」を、「産業上の利用分野」と訂正する。
（ｃ）明細書１頁２０行（特許公報２欄７行）の「ベンジン」を、「ベンゼン」と訂正する。
（ｄ）明細書２頁４行（特許公報３欄１２行〜１３行）の「紙管の外面に液状の芳香剤を塗布し、」を、「液状の芳香剤を入れた密閉容器内に圧縮空気を供給し、その圧縮空気による圧送力により通路を通してその出口から対象の紙管の外面に前記芳香剤を塗布し、」と訂正する。
（ｅ）明細書２頁１６行と１７行（特許公報３欄２９行と３０行）との間に、「他方、液状の芳香剤は前述のように、揮発性であるがために、塗布装置として芳香剤の収容容器において液面を大気に開放させておくと、溶剤が揮発し芳香剤濃度が経時的に変化してしまい、製品個々間において目的の一定の蒸散速度が得られない。しかるに、本発明に従って液状の芳香剤の塗布にあたり、液状の芳香剤を入れた密閉容器内に圧縮空気を供給し、その圧縮空気による圧送力により通路を通してその出口から対象の紙管の外面に前記芳香剤を塗布するようにすると、芳香剤を密閉容器内に収容するから、芳香剤の蒸散を防止し経時的に芳香剤濃度を一定に保つことができ、もって製品個々間において目的の一定の蒸散速度が得られる。」を加える。
（ｆ）明細書３頁５〜６行（特許公報４欄５行〜７行）の「第５図及び第６図では、以上の塗布法と異なり、芳香剤８を圧縮空気よりノズル１１を介して紙管１の下面及び上面からスプレー塗布するものである。」を、
「第５図及び第６図に示す本発明例では、以上の塗布法と異なり、液状の芳香剤８を入れた密閉容器内に圧縮空気を供給し、その圧縮空気による圧送力により通路を通してその出口ノズル１１を介して対象の紙管１の外面に下面側及び上面側からスプレー塗布するものである。」と訂正する。
（ｇ）明細書５頁５行（特許公報６欄７行）の「できる。」の次に、「そして、製品個々間において目的の一定の蒸散速度を示すトイレットペーパーを得ることができる。」を加える。
（５４）【発明の名称】
ロール式トイレットペーパーの製造方法
（５７）【特許請求の範囲】
（１）トイレットペーパーの紙管群から紙管供給装置により供給される当該紙管をトイレットペーパ一巻き付け装置へ供給する間において、
　液状の芳香剤を入れた密閉容器内に圧縮空気を供給し、その圧縮空気による圧送力により通路を通してその出口から対象の紙管の外面に前記芳香剤を塗布し、
　塗布後２分以内に、前記トイレットペーパー巻き付け装置においてトイレットペーパーをその紙管に巻き始めることを特徴とするロール式トイレットペーパーの製造方法。
【発明の詳細な説明】
〔産業上の利用分野〕
　本発明は芳香剤を塗布したトイレットペーパーの製造方法に関する。
〔従来の技術〕
　従来、トイレ内に芳香を付与する手段としては、液体又は固体の芳香剤を設置する手段が採られているが、芳香が消失した時、芳香剤の補充等の手間がかかるものであった。そこで近年、トイレットペーパーの紙管に芳香剤を塗布することにより簡易に芳香が得られるトイレットペーパーの製法が提案されている。
　かかる製法の一例としては、紙管内面に芳香性を有するマイクロカプセルを塗布する方法（実開昭５５−７７４９３号）や紙管内面に芳香を加えたパラジクロールベンゼンをコーティングする方法（実開昭５６−１１１８９０号）などがある。
〔発明が解決しょうとする問題点〕
　しかしながら、上記従来技術においてはいずれも紙管の内面に芳香剤を塗布するものであるから、コスト上多少なりとも有利に製造するためには紙管の原紙の状態で芳香剤を塗布し、その後紙管に加工する必要がある。ところが、この方法は芳香剤の塗布後製品に至るまでにかなりの時間がかかり、その間に芳香が消散してしまう。また、紙管内面はペーパー巻取時にトイレットロールを支える芯棒により強い摩擦力を受けるためこれによっても芳香効果が消散する。
　本発明は以上の事情を考慮してなされたもので、その主たる目的は、長期に亘って適度な芳香を発散するトイレットペーパーの製法を提供することにある。
　〔問題点を解決するための手段〕
　上記問題点を解消し本発明の目的を達成するための手段は、トイレットペーパーの紙管群から紙管供給装置により供給される当該紙管をトイレットペーパー巻き付け装置へ供給する間において、
　液状の芳香剤を入れた密閉容器内に圧縮空気を供給し、その圧縮空気による圧送力により通路を通してその出口から対象の紙管の外面に前記芳香剤を塗布し、
　塗布後２分以内に、前記トイレットペーパー巻き付け装置においてトイレットペーパーをその紙管に巻き始めることを特徴とするものである。
　〔作用〕
　本発明では、紙管の外面に芳香剤を塗布するため、紙管のストック場所から当該紙管を巻き付け装置へ供給して巻き付ける前において芳香剤を塗布できるとともに、塗布がきわめて容易となる。また、芳香剤の塗布直後、すなわち２分以内にトイレットペーパーを巻き付けるため、しかも紙管の外面に芳香剤を塗布することによりその外面をトイレットペーパーにより被覆するので、芳香剤の消散が殆どなくゆっくりした蒸散速度となり、長期に亘り適度な芳香が維持できる。一般に、この種の芳香剤は溶剤に溶解されており、溶剤が揮発した後も芳香剤成分が残留するものの、溶剤の揮発時に同伴されて蒸散する割合が高く、この意味で塗布後に２分以内にトイレットペーパーにより被覆することが重要である。
　他方、液状の芳香剤は前述のように、揮発性であるがために、塗布装置として芳香剤の収容容器において液面を大気に開放させておくと、溶剤が揮発し芳香剤濃度が経時的に変化してしまい、製品個々間において目的の一定の蒸散速度が得られない。しかるに、本発明に従って液状の芳香剤の塗布にあたり、液状の芳香剤を入れた密閉容器内に圧縮空気を供給し、その圧縮空気による圧送力により通路を通してその出口から対象の紙管の外面に前記芳香剤を塗布するようにすると、芳香剤を密閉容器内に収容するから、芳香剤の蒸散を防止し経時的に芳香剤濃度を一定に保つことができ、もって製品個々間において目的の一定の蒸散速度が得られる。
〔実施例〕
　以下本発明を図面を参照しながら実施例によりさらに詳説する。
　第１図は本発明に係るトイレットペーパー製造方法の概要説明図である。一般にロール式トイレットペーパーを製造する際は同図において、長尺の紙管１群を多数本ストックするとともに供給する紙管供給装置２から、供給される紙管１は紙管搬送ライン３を介して、ペーパー巻き付け装置５まで搬送され原反ロール６より供給されるトイレットペーパー６Ａを紙管１を中芯として巻き付ける。
　その後、この長尺のトイレットペーパーは図示しない裁断装置により所定の製品長さサイズに裁断する。本発明では、ペーパー６Ａを巻き付ける直前において芳香剤塗布装置４により紙管１の外面に芳香剤を塗布する。
　このための芳香剤塗布装置の具体例を示したのが、第２図〜第６図である。第２図の例では、塗布用ベルト又はロープを芳香剤液８中に浸漬後、紙管１の上面に一定時間接触させ該紙管の外面に連続的に芳香剤を塗布するものである。第３図は同様の操作を紙管の下面より行うものである。第４図はロール転写式の塗布装置であり芳香剤液８を一旦ロール９に付着させ、これをさらにロール９’に付着させ、余分な付着分はドクターブレード１０で払拭した後、ロール９’により紙管１の外面に芳香剤を塗布するものである。
　第５図及び第６図に示す本発明例では、以上の塗布法と異なり、液状の芳香剤８を入れた密閉容器内に圧縮空気を供給し、その圧縮空気による圧送力により通路を通してその出口ノズル１１を介して対象の紙管１の外面に下面側及び上面側からスプレー塗布するものである。
　本発明で用いる紙管供給装置２は傾斜した台の上に長尺の紙管１群が貯えられており、紙管１を搬送ライン３に供給するごとに次の紙管が自動的に供給される構造になっている。
　また巻き付け装置５はトイレットペーパーの原反ロール６から所定の長さだけ巻き付けた後、裁断する図示しないカッターが付属している。他方で、原反ロール６からのトイレットペーパー６Ａを巻き付け後において、１ロール分ごとスリッターにより短尺に横断されるために、少なくとも１ロール分中に芳香剤があるように、長尺の紙管１の段階で実質的に全長に渡って芳香剤液を塗布することが必要である。
　以下、実験例を示し、本発明の効果を明らかにする。
（実験例）
　香料の塗布位置を紙管の内側と外側とで変えた場合、および香料塗布後に紙管にペーパーを巻き始めるまでの時間を変化させた場合について、それぞれトイレットロールを製造し、これらトイレットロールの芳香の強さを、２０名のモニターにより表１に示す４段階評価により評価した。尚、芳香の強さの評価は、ペーパー巻付け直後、１週間後、および２週間後に行った。
　まず、香料の塗布位置を紙管の内側（比較例）と外側（本発明例）とで変えた場合の実験結果を表２に示す。尚、本実験においては、本発明例および比較例ともに、香料塗布後、直ちにペーパーを巻き付けた。また、表中の値は、いずれも、２０名のモニターの評価の平均値である。
　表２より明らかなとおり、本発明にしたがって、紙管の外側に香料を塗布し、かつ香料塗布後直ちにペーパーを巻き付けることにより製造されたトイレットロールは、長期に亘り、適度な芳香を維持することができる。一方、紙管の内側に香料を塗布した比較例においては、その芳香の強さは、ペーパー巻き付けから１週間後で殆ど臭わない程度まで、２週間後では全く臭わない程度まで弱くなった。
　次に、香料塗布後に紙管にペーパーを巻き始めるまでの時間を変化させた場合の実験結果を第３表にしめす。尚、本実験における全てのサンプルは、紙管の外側に香料を塗布したものである。また、表中の値は、いずれも、２０名のモニターの評価の平均値である。
　表３から明らかなとおり、本発明のように、香料塗布後、紙管にペーパーを巻き始めるまでの時間が２分以内であると、長期に亘り、適度な芳香を維持することができる。
〔発明の効果〕
　以上の通り、本発明によれば、極めて容易に長期に亘り、蒸散が抑制された適度な芳香を発散するトイレットペーパーを得ることができる。そして、製品個々間において目的の一定の蒸散速度を示すトイレットペーパーを得ることができる。
【図面の簡単な説明】
　第１図は本発明の概要説明図、第２図、第３図はベルト（ロープ）式塗布装置、第４図はロール式塗布装置、第５図、第６図は噴霧式塗布装置を示す図示である。
　１…紙管、２…紙管供給装置、３…搬送ライン、４…芳香剤塗布装置、５…トイレットペーパー巻き付け装置、６…原反ロール、６Ａ…トイレットペーパー、７…ベルト（ロープ）、８…芳香剤（液）、９、９’…塗布ロール、１０…ドクターブレード、１１…スプレーノズル。